(57)【特許請求の範囲】
【請求項１】
ヒンジ部並びに当該ヒンジ部を介して屈曲可能に連設された第１及び第２の包囲部材から構成されるバンド本体と、前記第１及び第２の包囲部材の対応する部位に形成され、前記第１及び第２の包囲部材の開放側を着脱可能に連結する係合部及び係合受部と、前記第１包囲部材の外面に形成されたＲＦＩＤタグ収納部と、該ＲＦＩＤタグ収納部内に収納されたＲＦＩＤタグと、該ＲＦＩＤタグの外周を覆うように前記ＲＦＩＤタグ収納部に着脱可能に取り付けられるカバー部材とからなり、
前記第１包囲部材は、前記ＲＦＩＤタグ収納部を構成する天板及び当該天板の対向する端部から外側に向けて突出する一対の突壁を有し、
前記カバー部材は、上面板と、当該上面板の対向する二辺より下向きに形成されたフック部とから構成されていて、前記上面板を前記一対の突壁の間に挿入し、前記フック部を前記第１包囲部材の側板に形成された係合受部に係合することを特徴とするＲＦＩＤタグ収納バンド。
【請求項２】
前記突壁の内面下部に、前記突壁よりも高さ寸法の小さい一対のカバー保持突起を形成し、前記カバー部材の取付時、前記上面板の下面を前記カバー保持突起の上面に載置することを特徴とする請求項１に記載のＲＦＩＤタグ収納バンド。
【請求項３】
前記カバー部材を構成する上面板の下面に、前記カバー部材に適度の弾性を付与するための切り込み溝を形成したことを特徴とする請求項１に記載のＲＦＩＤタグ収納バンド。
【請求項４】
前記第１包囲部材は、外面に前記ＲＦＩＤタグ収納部が形成された天板と、その両端部から下向きに形成された第１及び第２の側板とからなる断面コ字状に形成され、前記第１側板の下端部に前記ヒンジ部を介して前記第２包囲部材が連結されると共に、前記第２側板には前記係合部及び係合受部のうちの一方が形成されており、前記第２包囲部材は、前記ヒンジ部を介して前記第１包囲部材に連結された底板と、その先端部から起立された第３側板とからなる断面Ｌ字状に形成され、前記第３側板には前記係合部及び係合受部のうちの他方が形成されていて、前記係合部と前記係合受部とを互いに係合したとき、前記第１及び第２の包囲部材が輪状に組み立てられて、長尺材の保持空間が形成されることを特徴とする請求項１に記載のＲＦＩＤタグ収納バンド。
【請求項５】
前記第２包囲部材の底板に、長尺材を前記第１包囲部材の天板側に付勢する弾性片を形成したことを特徴とする請求項４に記載のＲＦＩＤタグ収納バンド。
【請求項６】
前記カバー部材の外表面に印字が施されていることを特徴とする請求項１乃至請求項５のいずれか１項に記載のＲＦＩＤタグ収納バンド。
【請求項７】
ヒンジ部を介して屈曲可能に連設された第１及び第２の包囲部材を有し、前記第１包囲部材は、外面にＲＦＩＤタグ収納部が形成された天板と、その両端部から下向きに形成された第１及び第２の側板とからなる断面コ字状に形成され、前記第２包囲部材は、前記ヒンジ部を介して前記第１包囲部材に連結された底板と、その先端部から起立された第３側板とからなる断面Ｌ字状に形成されていて、前記底板に長尺材を前記第１包囲部材の天板側に付勢する弾性片が形成されたＲＦＩＤタグ収納バンドの保持治具において、
前記第１包囲部材の天板に接する上面と、前記第１包囲部材の第１側板及び前記第２包囲部材の底板に接する第１側面と、前記第１包囲部材の第２側板に接する第２側面と、前記第２包囲部材の第３側板に接する下面と、前記第２側面と前記下面との間の接続部に形成された前記弾性片との衝合を回避するための凹溝とを有する棒状体からなることを特徴とするＲＦＩＤタグ収納バンドの保持治具。
【請求項８】
前記棒状体の一端側に、前記長尺材を連結するための長尺材挿入保持部を形成したことを特徴とする請求項７に記載のＲＦＩＤタグ収納バンドの保持治具。
【請求項９】
前記凹溝の長さ方向に、前記弾性片を弾接するための複数の山型突起を形成したことを特徴とする請求項７及び請求項８のいずれか１項に記載のＲＦＩＤタグ収納バンドの保持治具。
【発明の詳細な説明】
【技術分野】
【０００１】
本発明は、電線ケーブル、光ファイバ、金属製又は合成樹脂製の線材又は管材等のいわゆる長尺材に個体識別用のＲＦＩＤ(Radio Frequency IDentificaition)タグを取り付けるＲＦＩＤタグ収納バンドと、複数のＲＦＩＤタグ収納バンドを１体に保持して長尺材への取り付けを容易化するための保持治具とに関する。
【背景技術】
【０００２】
従来、この種の長尺材の個体識別は、必要な識別項目が印字されたチューブを長尺材に装着したり、油性のインク等を用いて長尺材の表面に直接必要な識別項目を印字する等の目視に頼った手段が採られていたが、多数の長尺材を効率的に管理することが困難で、必要箇所に適用する際の確認作業にも多大の労力を要していた。
【０００３】
例えば、プラント、鉄道、ビルディング等に設置される配電盤には多数の電線ケーブルが接続されるので、電線ケーブルの確認作業を容易に行えないと、新設及びメンテナンスに長時間を要するばかりでなく、誤接続による不具合も発生しやすくなる。また、１旦誤接続が発生してしまうと、専門的な知識をもった熟練者による配線図を見ながらの修正作業が必要になるため、熟練者の都合によっては更に長時間を空費するおそれがある。
【０００４】
このような問題に対処するため、近年においては、識別コード、線種、線番、配線経路、接続先、接続時期及び用途等の配線識別情報が電子的に記憶されたＲＦＩＤタグを、対応する電線ケーブルに個別に取り付けると共に、データベースに個々のＲＦＩＤタグの記憶情報とそのＲＦＩＤタグを取り付けた電線ケーブルに関する情報とを関連付けて保持し、リーダ（データ読み取り器）によりＲＦＩＤタグから読み出された情報をデータベースに記憶された情報と対照することによって個々の電線ケーブルの管理を行う、ＲＦＩＤケーブルシステムが提案されている（例えば、特許文献１参照。）。このシステムによれば、各電線ケーブルの管理をデータベースを用いて一括管理できるので、ヒューマンエラーを回避することができ、新設時及びメンテナンス時における作業の効率化及び低コスト化を図ることができる。
【０００５】
ＲＦＩＤタグを長尺材に取り付ける手段としては、内面に無線ＩＣタグが取り付けられた包囲部材を含む３つの包囲部材がヒンジ部を介して屈曲可能に連設され、１の包囲部材に形成された係止部と他の１の包囲部材に形成された係止受部とを係合することにより、各包囲部材を長尺材の外周に巻き付けるようにしたものが従来提案されている（例えば、特許文献２，３参照。）。
【先行技術文献】
【特許文献】
【０００６】
【特許文献１】特開２００７−１５１３８３号公報
【特許文献２】特開２００８−２９９４２４号公報
【特許文献３】実用新案登録第３１２１５３４号公報
【発明の概要】
【発明が解決しようとする課題】
【０００７】
しかしながら、特許文献２，３に記載の無線ＩＣタグホルダーはいずれも、包囲部材の内側に形成された凹部内に無線ＩＣタグを挿入して取り付ける構成であり、凹部の近辺には凹部側に突出する部材があるため、凹部に対する無線ＩＣタグの取り付け作業を効率良く行うことが難しいという問題がある。
【０００８】
また、特許文献２，３に記載の無線ＩＣタグホルダーはいずれも、ヒンジ部を介して３つの包囲部材を屈曲可能に連設してなるので、係止部と係止受部とを係合する以前においては形状が不安定であり、無線ＩＣタグホルダーの表面に配線識別情報を効率的に印字したり、複数個の無線ＩＣタグホルダーを後工程で取り扱いやすい形で搬送する等の処理が難しいという問題もある。即ち、この種の無線ＩＣタグホルダーを実用性あるものにするためには、無線ＩＣタグホルダーの外面に配線識別情報の全部又は一部を印字して、目視による配線識別情報の確認が可能であるようにする必要がある。そして、各無線ＩＣタグホルダーに対する配線識別情報の印字を効率的に行う手段としては、多数個の無線ＩＣタグホルダーを棒状の保持治具に取り付けて、印字面を印字ヘッドに対して整列させるという手段を採ることが有効であるが、特許文献２，３に記載の無線ＩＣタグホルダーは、係止部と係止受部とを係合しなければ保持治具に安定に取り付けることができないので、印字作業を効率良く行うことが難しい。また、搬送についても、これと同様であって、多数個の無線ＩＣタグホルダーを棒状の保持治具に取り付けることによって作業を効率化できるが、係止部と係止受部の係合及び係合解除が必要になるので、搬送作業を効率良く行うことが難しい。
【０００９】
本発明は、このような従来技術の問題点を解決するためになされたものであり、その目的は、ＲＦＩＤタグの取り付けが容易で、印字作業や搬送作業も効率的に行えるＲＦＩＤタグ収納バンドを提供することにある。また、複数個のＲＦＩＤタグ収納バンドを着脱自在に保持して、印字作業、搬送作業及び長尺材に対するＲＦＩＤタグ収納バンドの取り付け作業を効率化するＲＦＩＤタグ収納バンドの保持治具を提供することにある。
【課題を解決するための手段】
【００１０】
本発明は、このような技術的な課題を解決するため、ＲＦＩＤタグ収納バンドについては、ヒンジ部並びに当該ヒンジ部を介して屈曲可能に連設された第１及び第２の包囲部材から構成されるバンド本体と、前記第１及び第２の包囲部材の対応する部位に形成され、前記第１及び第２の包囲部材の開放側を着脱可能に連結する係合部及び係合受部と、前記第１包囲部材の外面に形成されたＲＦＩＤタグ収納部と、該ＲＦＩＤタグ収納部内に収納されたＲＦＩＤタグと、該ＲＦＩＤタグの外周を覆うように前記ＲＦＩＤタグ収納部に着脱可能に取り付けられるカバー部材とからなり、前記第１包囲部材は、前記ＲＦＩＤタグ収納部を構成する天板及び当該天板の対向する端部から外側に向けて突出する一対の突壁を有し、前記カバー部材は、上面板と、当該上面板の対向する二辺より下向きに形成されたフック部とから構成されていて、前記上面板を前記一対の突壁の間に挿入し、前記フック部を前記第１包囲部材の側板に形成された係合受部に係合することを特徴とする。
また、本発明は、前記構成のＲＦＩＤタグ収納バンドにおいて、前記突壁の内面下部に、前記突壁よりも高さ寸法の小さい一対のカバー保持突起を形成し、前記カバー部材の取付時、前記上面板の下面を前記カバー保持突起の上面に載置することを特徴とする。
また、本発明は、前記構成のＲＦＩＤタグ収納バンドにおいて、前記カバー部材を構成する上面板の下面に、前記カバー部材に適度の弾性を付与するための切り込み溝を形成したことを特徴とする。
【００１１】
かかる構成によると、ＲＦＩＤタグ収納部を第１包囲部材の外面に形成するので、ＲＦＩＤタグ収納バンドに対するＲＦＩＤタグの収納を、他の部材に邪魔されることなく、容易に行うことができる。また、ＲＦＩＤタグの外周をカバー部材にて覆うので、ＲＦＩＤタグの脱落や破損を確実に防止することができる。加えて、カバー部材をバンド本体とは別体に構成したことから、カバー部材及びバンド本体の色の組み合わせを適宜変更することが可能となり、ＲＦＩＤタグ収納バンドが取り付けられる長尺材の目視による識別性を高めることができる。また、カバー部材を透明樹脂で成形した場合には、ＲＦＩＤタグの収納の有無を確認することができる。さらに、バンド本体を、ヒンジ部を介して屈曲可能に連設された２つの包囲部材から構成するので、３つの包囲部材から構成する場合に比べて、係止部と係止受部とを係合する以前の形状を安定化することができ、係止部と係止受部とを係合することなく、保持治具に取り付けることが可能となる。
【００１２】
また本発明は、前記構成のＲＦＩＤタグ収納バンドにおいて、前記第１包囲部材は、外面に前記ＲＦＩＤタグ収納部が形成された天板と、その両端部から下向きに形成された第１及び第２の側板とからなる断面コ字状に形成され、前記第１側板の下端部に前記ヒンジ部を介して前記第２包囲部材が連結されると共に、前記第２側板には前記係合部及び係合受部のうちの一方が形成されており、前記第２包囲部材は、前記ヒンジ部を介して前記第１包囲部材に連結された底板と、その先端部から起立された第３側板とからなる断面Ｌ字状に形成され、前記第３側板には前記係合部及び係合受部のうちの他方が形成されていて、前記係合部と前記係合受部とを互いに係合したとき、前記第１及び第２の包囲部材が輪状に組み立てられて、長尺材の保持空間が形成されることを特徴とする。
【００１３】
かかる構成によると、ヒンジ部を介して屈曲可能に連設された２つの包囲部材、即ち、第１及び第２の包囲部材を用いて、略四角形の長尺材保持空間を有するＲＦＩＤタグ収納バンドを構成することができる。
【００１４】
また本発明は、前記構成のＲＦＩＤタグ収納バンドにおいて、前記第２包囲部材の底板に、長尺材を前記第１包囲部材の天板側に付勢する弾性片を形成したことを特徴とする。
【００１５】
かかる構成によると、第１包囲部材の天板と弾性片とでＲＦＩＤタグ収納バンドを長尺材に強固に取り付けることができるので、長尺材に対するＲＦＩＤタグ収納バンドの取付安定性を高めることができる。また、外径が異なる長尺材に対する同１サイズのＲＦＩＤタグ収納バンドの取り付けも可能となるので、ＲＦＩＤタグ収納バンドの汎用性を高めることもできる。
【００１６】
また本発明は、前記構成のＲＦＩＤタグ収納バンドにおいて、前記カバー部材の外表面に印字が施されていることを特徴とする。
【００１７】
かかる構成によると、カバー部材の外表面に印字が施されているので、リーダを近づけてＲＦＩＤタグに記憶された情報を読み取る際、近くに同じタイプのＲＦＩＤタグがあったとしても、作業者が印字を目視することによって、現在リーダと通信しているＲＦＩＤタグを確認できるので、読み間違えなどのミスを減少することができる。
【００１８】
一方、本発明は、ＲＦＩＤタグ収納バンドの保持治具に関して、ヒンジ部を介して屈曲可能に連設された第１及び第２の包囲部材を有し、前記第１包囲部材は、外面にＲＦＩＤタグ収納部が形成された天板と、その両端部から下向きに形成された第１及び第２の側板とからなる断面コ字状に形成され、前記第２包囲部材は、前記ヒンジ部を介して前記第１包囲部材に連結された底板と、その先端部から起立された第３側板とからなる断面Ｌ字状に形成されていて、前記底板に長尺材を前記第１包囲部材の天板側に付勢する弾性片が形成されたＲＦＩＤタグ収納バンドの保持治具において、前記第１包囲部材の天板に接する上面と、前記第１包囲部材の第１側板及び前記第２包囲部材の底板に接する第１側面と、前記第１包囲部材の第２側板に接する第２側面と、前記第２包囲部材の第３側板に接する下面と、前記第２側面と前記下面との間の接続部に形成された前記弾性片との衝合を回避するための凹溝とを有する棒状体からなることを特徴とする。
【００１９】
かかる構成によると、ＲＦＩＤタグ収納バンドを構成する第１包囲部材の天板、第１包囲部材の第１側板及び第２包囲部材の底板、第１包囲部材の第２側板及び第２包囲部材の第３側板を、それぞれ保持治具の上面、第１側面、第２側面及び下面に接することにより、ＲＦＩＤタグ収納バンドを保持治具に安定に取り付けることができる。また、保持治具の第２側面と下面との間の接続部に凹溝を形成したので、ＲＦＩＤタグ収納バンドに形成された弾性片と保持治具との衝合を回避することもできる。よって、１つの保持治具に多数のＲＦＩＤタグ収納バンドを並列して取り付けることが可能になるので、印字スペースに対する印字作業や、各作業部間の搬送を容易化することができる。また、その際に、第１包囲部材と第２包囲部材とを係合部及び係合受部を用いて結合する必要がないので、保持部材に対するＲＦＩＤタグ収納バンドの取り付け・取り外し作業を容易化できる。
【００２０】
また本発明は、前記構成のＲＦＩＤタグ収納バンドの保持治具において、前記棒状体の一端側に、前記長尺材を連結するための長尺材挿入保持部を形成したことを特徴とする。
【００２１】
かかる構成によると、長尺材挿入保持部内に長尺材の一部を保持しておき、保持治具に装着されたＲＦＩＤタグ収納バンドをスライドさせて当該長尺材側に移動させるだけで、長尺材の外周部にＲＦＩＤタグ収納バンドを配置することができる。後は、第１及び第２の包囲部材に形成された係合部と係合受部とを結合するだけで、長尺材に対するＲＦＩＤタグ収納バンドの取付作業を完了できるので、その作業性を高めることができる。
【００２２】
また本発明は、前記構成のＲＦＩＤタグ収納バンドの保持治具において、前記凹溝の長さ方向に、前記弾性片を弾接するための複数の山型突起を形成したことを特徴とする。
【００２３】
かかる構成によると、弾性片を山型突起に弾接させることにより、ＲＦＩＤタグ収納バンドを保持治具に仮固定できるので、保持治具に対するＲＦＩＤタグ収納バンドの取付安定性を高めることができ、印字作業や搬送作業の効率化と信頼性の向上を図ることができる。
【発明の効果】
【００２４】
本発明に係るＲＦＩＤタグ収納バンドは、ＲＦＩＤタグ収納部をバンド本体の外面に形成するので、ＲＦＩＤタグ収納バンドに対するＲＦＩＤタグの収納を他の部材に邪魔されることなく容易に行うことができる。よって、ＲＦＩＤタグ収納バンドに対するＲＦＩＤタグの収納作業を効率化することができ、ＲＦＩＤタグ収納バンドの生産性向上及び低コスト化を図ることができる。また、ＲＦＩＤタグの外周をカバー部材にて覆うので、ＲＦＩＤタグの脱落や破損を確実に防止できると共に、カバー部材とバンド本体とを独立の別体に構成したことから、カバー部材及びバンド本体の色の組み合わせを適宜変更することによって、ＲＦＩＤタグ収納バンドが取り付けられる長尺材の目視による識別性を高めたり、カバー部材を透明樹脂で成形することによって、ＲＦＩＤタグの目視による確認を容易化することもできる。さらに、バンド本体を、ヒンジ部を介して屈曲可能に連設された２つの包囲部材から構成するので、３つの包囲部材から構成する場合に比べて、係止部と係止受部とを係合する以前の形状を安定化することができる。よって、係止部と係止受部とを係合することなく保持治具に安定に取り付けることができ、印字スペースに対する印字作業や各作業部所への搬送性を高めることができる。
【００２５】
本発明に係るＲＦＩＤタグ収納バンドの保持治具は、第１包囲部材の天板と第２包囲部材の底板とが対向に配置された状態にあるＲＦＩＤタグ収納バンドの内面に密接可能な断面形状を有するので、係合部と係合受部とを結合することなく、ＲＦＩＤタグ収納バンドを保持治具に安定に取り付けることができる。よって、保持部材に対するＲＦＩＤタグ収納バンドの取り付け・取り外し作業を容易に行うことができて、その後の印字作業や各作業部間の搬送を容易化でき、ＲＦＩＤタグ収納バンドが取り付けられた長尺材の生産性向上及び低コスト化を図ることができる。
【図面の簡単な説明】
【００２６】
【図１】実施形態に係るＲＦＩＤタグ収納バンドの分解斜視図である。
【図２】実施形態に係るＲＦＩＤタグ収納バンドの組立状態を示す斜視図である。
【図３】実施形態に係るＲＦＩＤタグ収納バンドの長尺材への取付状態を示す斜視図である。
【図４】図３のＡ方向矢視図である。
【図５】図４のＢ−Ｂ断面図である。
【図６】実施形態に係る保持治具の上面側から見た斜視図である。
【図７】実施形態に係る保持治具の下面側から見た斜視図である。
【図８】ＲＦＩＤタグ収納バンドが取り付けられた保持治具の端面図である。
【図９】保持治具に対するＲＦＩＤタグ収納バンドの取付状態を示す斜視図である。
【図１０】長尺材に対するＲＦＩＤタグ収納バンドの取付手順を示す説明図である。
【発明を実施するための形態】
【００２７】
以下、実施形態に係るＲＦＩＤタグ収納バンド及びその保持治具について、図面と共に説明する。
【００２８】
図１及び図２に示すように、実施形態に係るＲＦＩＤタグ収納バンド１は、例えばポリアミド樹脂又はポリアセタール樹脂等の適度の弾性と硬度とを有するプラスチック材料を用いて形成されたバンド本体２と、バンド本体２に取り付けられるＲＦＩＤタグ３と、バンド本体２と同種又は異種のプラスチック材料をもって形成され、ＲＦＩＤタグ３を覆うようにバンド本体２に取り付けられるカバー部材４とから構成されている。
【００２９】
バンド本体２は、ヒンジ部１０と、ヒンジ部１０を介して屈曲可能に連結された第１包囲部材１１及び第２包囲部材１２とからなる。第１包囲部材１１は、天板１１ａと、当該天板１１ａの対向する二辺より下向きに形成された第１及び第２の側板１１ｂ，１１ｃをもって、下側に開口を有する断面コ字状に形成されている。一方、第２包囲部材１２は、ヒンジ部１０を介して第１側板１１ａに連結された底板１２ａと、その先端部から起立された第３側板１２ｂとからなる断面Ｌ字状に形成されている。
【００３０】
天板１１ａの外面には、その長さ方向の前後端部に、外側に向けて突出する一対の突壁１３，１３が形成され、当該突壁１３，１３の内面下部には、これよりも高さ寸法の小さい一対のカバー保持突起１４，１４が形成されていて、これらカバー保持突起１４，１４の内面間がＲＦＩＤタグ３を収納するためのＲＦＩＤタグ収納部になっている。このように、本例のＲＦＩＤタグ収納バンド１は、ＲＦＩＤタグ３の収納部を第１包囲部材１１の外面に形成するので、バンド本体２に対するＲＦＩＤタグ３の収納を、他の部材に邪魔されることなく、容易に行うことができる。一方、第１包囲部材１１の第２側板１１ｃには、突壁１３，１３の内面間の幅と同幅の窓孔１５が開設されており、当該窓孔１５の上辺１５ａがカバー部材４の係合受部となり、下辺１５ｂが第２包囲部材１２の係合受部になっている。なお、図示は省略するが、第１包囲部材１１の第１側板１１ｂにも、突壁１３，１３の内面間の幅と同幅の窓孔が開設されており、当該窓孔１５の上辺がカバー部材４の係合受部となっている。
【００３１】
第１包囲部材１２の底板１２ａには、図４及び図５に詳細に示すように、先端部が内面側に張り出された弾性片１６が形成されている。また、第２包囲部材１２を構成する第３側板１２ｂの外面先端部には、第２側板１１ｂに形成された係合受部１５ｂに係合される係合部１７が形成されている。
【００３２】
ＲＦＩＤタグ３は、平面形状が四角形に形成された基板３ａと、当該基板３ａ上に設定されたＩＣチップ３ｂと、ＩＣチップ３ｂの入出力端子に両端が接続されたアンテナ３ｃとから構成される。ＲＦＩＤタグ３の構成及び機能については、公知に属する事項であり、かつ本発明の要旨でもないので、これ以上の説明を省略する。なお、基板３ａのサイズは用途に応じて適宜選択されるが、通常は数ｍｍ程度のものが用いられる。
【００３３】
カバー部材４は、上面板４ａと、当該上面板４ａの対向する二辺より下向きに形成されたフック部４ｂ，４ｂとから構成されており、フック部４ｂ，４ｂを第１包囲部材１１に形成された係合受部１５ａに係合し、上面板４ａの下面を第１包囲部材１１の天板１１ａに形成されたカバー保持突起１４，１４の上面に載置することによって、バンド本体２に取り付けられる。カバー部材４は、天板１１ａ及び突壁１３，１３と協働して、ＲＦＩＤタグ３の周囲を密閉可能なサイズに形成される。このように本例のＲＦＩＤタグ収納バンド１は、ＲＦＩＤタグ３の外周をカバー部材４にて覆うので、ＲＦＩＤタグ３の脱落や破損を確実に防止することができる。また、上面板４ａの下面をカバー保持突起１４，１４の上面に載置するので、カバー部材４に不正な外力が作用した場合にも、カバー部材４がカバー保持突起１４，１４によって支えられ、カバー部材４の変形が防止される。よって、この点からもＲＦＩＤタグ３の破壊を確実に防止することができる。なお、カバー保持突起１４，１４の形状は、カバー部材４の下面を支持できれば足りるのであって、図１に示す横向き角柱状のほか、カバー部材４の四隅を支える少なくとも４個の縦向きの円柱状とすることもできる。
【００３４】
カバー部材４の上面板４ａは、その外面が平坦な印字スペースとなっており、図示は省略するが、所要の識別コード、線種、線番、配線経路、接続先、接続時期及び用途等の配線識別情報が、目視可能な形で印字されている。また、上面板４ａの下面には、カバー部材４に適度の弾性を付与するための切り込み溝１８が形成されている。これにより、バンド本体２に対するカバー部材の着脱を容易なものにすることができる。
【００３５】
なお、カバー部材４には、適宜の着色を施すことができる。カバー部材４に着色を施すと、カバー部材４とバンド本体２の色の組み合わせを長尺材の識別情報として利用することができるので、ＲＦＩＤタグ収納バンド１が取り付けられる長尺材の目視による識別性を高めることができる。また、カバー部材４は透明樹脂をもって形成することもできる。カバー部材４を透明体にすると、ＲＦＩＤタグ３が所定の収納部に収納されているか否かの確認を目視で行うことができるので、ＲＦＩＤタグ３が収納されていないＲＦＩＤタグ収納バンド１が流通するという問題の発生を未然に防止できる。
【００３６】
バンド本体２を構成する第１及び第２の包囲部材１１，１２は、ヒンジ部１０を介して屈曲可能に連結されているので、第１包囲部材１１に対して第２包囲部材１２を屈曲し、第３側板１２ｂの外面先端部に形成された係合部１７を第２側板１１ｂに形成された係合受部１５ｂに係合することにより、輪状に組み立てられる。したがって、図３〜図５に示すように、長尺材Ｌの外周に第１及び第２の包囲部材１１，１２を巻き付けることができる。このとき、図４及び図５に示すように、第２包囲部材１２の底板１２ａに形成された弾性片１６の先端部が長尺材Ｌに当接され、長尺材Ｌが弾性片１６と天板１１ａの内面との間で弾性保持されるので、ＲＦＩＤタグ収納バンド１が長尺材Ｌの外周に緩みなく巻き付けられる。また、本実施形態に係るＲＦＩＤタグ収納バンド１は、バンド本体２とカバー部材４とを別体に構成したので、これらの両部材を一体に構成する場合に比べてヒンジ部１０の数を少なくすることができ、全体を小型に形成することができる。よって、長尺材Ｌに対する取付作業を容易化できると共に、取付後の見た目も良好なものにすることができる。
【００３７】
次に、実施形態に係る保持治具の構成と使用方法を、図６〜図１１を参照しながら説明する。これらの図に示すように、実施形態に係る保持治具２０は、長さ方向の各断面においてその断面形状が同一となるように形成されたバンド取付部２１と、その一端に形成された長尺材挿入保持部２２とからなる棒状に形成されている。保持治具２０も、適度の弾性と硬度とを有するプラスチック材料を用いて作製される。
【００３８】
バンド取付部２１は、図８に示すように、第１包囲部材１１の天板１１ａに接する上面２１ａと、第１包囲部材１１の第１側板１１ｂ及び第２包囲部材１２の底板１２ａに接する第１側面２１ｂと、第１包囲部材１１の第２側板１１ｃに接する第２側面２１ｃと、第２包囲部材１２の第３側板１２ｂに接する下面２１ｄと、第２側面２１ｃと下面２１ｄとの間の接続部に形成された凹溝２１ｅと、凹溝２１ｅの壁面から凹溝２１ｅ内に張り出された複数の山型突起２１ｆとからなる。山型突起２１ｆの形成ピッチは、ＲＦＩＤタグ収納バンド１の横幅とほぼ同一寸法とされる。
【００３９】
長尺材挿入保持部２２は、図６及び図７に示すように、バンド取付部２１の幅方向の半部を切り欠いた如き形状になっており、その内面には、正面形状がＬ字状で、断面形状が半円状の長尺材挿入溝２２ａが形成されている。また、長尺材挿入溝２２ａの水平部と垂直部の間には、長尺材案内突起２２ｂが形成されている。したがって、長尺材挿入保持部２２の側方から長尺材挿入溝２２ａの水平部と垂直部に長尺材Ｌを挿入することで、保持治具２０に長尺材Ｌを連結することができる。
【００４０】
保持治具２０は、ＲＦＩＤタグ収納バンド１の搬送や印字、それに長尺材Ｌに対するＲＦＩＤタグ収納バンド１の取り付けを効率化するために用いられるもので、図９に示すように、１つの保持治具２０に複数のＲＦＩＤタグ収納バンド１が同一の向きで取り付けられる。１つの保持治具２０に取り付け可能なＲＦＩＤタグ収納バンド１の数は、保持治具２０に形成される山型突起２１ｆの数である。
【００４１】
保持治具２０に対するＲＦＩＤタグ収納バンド１の取り付けは、図８に示すように、ＲＦＩＤタグ収納バンド１を構成する第１包囲部材１１の天板１１ａ、第１包囲部材１１の第１側板１１ｂ及び第２包囲部材１２の底板１２ａ、第１包囲部材１１の第２側板１１ｃ及び第２包囲部材１２の第３側板１２ｂが、それぞれ保持治具２０の上面２１ａ、第１側面２１ｂ、第２側面２１ｃ及び下面２１ｄに接するように、ＲＦＩＤタグ収納バンド１を保持治具２０の外周に装着することにより行われる。本例の保持治具２０は、保持治具２０の各面にＲＦＩＤタグ収納バンド１の各面を密着させるので、複数のＲＦＩＤタグ収納バンド１を安定に保持することができる。
【００４２】
また、保持治具２０の一端部に装着されたＲＦＩＤタグ収納バンド１を、保持治具２０の長さ方向にスライドさせ、ＲＦＩＤタグ収納バンド１に形成された弾性片１６を保持治具２０に形成された山形突起２１ｆの頂面に当接させると、弾性片１６の弾性力によってＲＦＩＤタグ収納バンド１が保持治具２０に安定に保持されるので、搬送作業及び印字作業等を安泰に行うことができる。
【００４３】
以下、保持治具２０を用いた場合における、長尺材Ｌに対するＲＦＩＤタグ収納バンド１の取付手順を、図１０及び図１１を用いて説明する。
【００４４】
まず、図１０（ａ）に示すように、複数のＲＦＩＤタグ収納バンド１が装着された保持治具２０を用意する。次に、図１０（ｂ）に示すように、長尺材挿入保持部２２に形成された長尺材挿入溝２２ａ内に、長尺材Ｌを挿入する。次に、図１０（ｃ）に示すように、保持治具２０に装着された複数のＲＦＩＤタグ収納バンド１のうち、長尺材挿入保持部２２の最も近くにある１のＲＦＩＤタグ収納バンド１を、長尺材挿入保持部２２の先端部までスライドさせる。次に、図１０（ｄ）に示すように、第３側板１２ｂの外面先端部に形成された係合部１７を第２側板１１ｂに形成された係合受部１５ｂに係合し、ＲＦＩＤタグ収納バンド１の第１包囲部材１１と第２包囲部材１２とを輪状に組み立てる。次に、図１０（ｅ）に示すように、保持治具２０から長尺材Ｌを繰り出し、ＲＦＩＤタグ収納バンド１と長尺材挿入保持部２２との係合を解除する。最後に、長尺材挿入溝２２ａから長尺材Ｌを取り出し、外周部にＲＦＩＤタグ収納バンド１が装着された長尺材Ｌを得る。
【００４５】
本例の保持治具２０は、複数のＲＦＩＤタグ収納バンド１を同一向きに向けて取り付けることができるので、ＲＦＩＤタグ収納バンド１に対する印字作業や、各作業部間におけるＲＦＩＤタグ収納バンド１の搬送を容易に行うことができる。また、ＲＦＩＤタグ収納バンド１を装着する際に、第１包囲部材１１と第２包囲部材１２とを係合部１７及び係合受部１５ａを用いて結合する必要がないので、保持部材２０に対するＲＦＩＤタグ収納バンド１の取り付け・取り外し作業を容易化することができる。さらに、本例の保持治具２０は、その一端に、長尺材挿入保持部２２を形成したので、長尺材Ｌに対するＲＦＩＤタグ収納バンド１の装着を簡単に行うことができる。
【産業上の利用可能性】
【００４６】
本発明は、各種のプラントに設置される配電盤の配線作業等に利用できる。
【符号の説明】
【００４７】
１    ＲＦＩＤタグ収納バンド
２    バンド本体
３    ＲＦＩＤタグ
３ａ    基板
３ｂ    ＩＣチップ
３ｃ    アンテナ
４    カバー部材
４ａ    上面板
４ｂ，４ｃ    フック部
１０    ヒンジ部
１１    第１包囲部材
１１ａ    天板
１１ｂ，１１ｃ    側板
１２    第２包囲部材
１２ａ    底板
１２ｂ    第３側板
１３    突壁
１４    カバー保持突起
１５    窓孔
１５ａ    係合受部
１５ｂ    係合受部
１６    弾性片
１７    係合部
１８    切り込み溝
２０    保持治具
２１    バンド取付部
２１ａ    上面
２１ｂ    第１側面
２１ｃ    第２側面
２１ｄ    下面
２１ｅ    凹溝
２１ｆ    山型突起
２２    長尺材挿入保持部
２２ａ    長尺材挿入溝
２２ｂ    長尺材案内突起
Ｌ    長尺材
【図３】
0005585989.tif 000002
【図４】
0005585989.tif 000003
【図８】
0005585989.tif 000004
【図９】
0005585989.tif 000005
【図１０】
0005585989.tif 000006
【図１】
0005585989.tif 000007
【図２】
0005585989.tif 000008
【図５】
0005585989.tif 000009
【図６】
0005585989.tif 000010
【図７】
0005585989.tif 000011